(57)【要約】【課題】メンテナンス性が良い局部洗浄装置を提供する。【解決手段】局部洗浄装置１０は、進退可能に構成され、進出した状態で人体の局部の洗浄を行う洗浄ノズル３と、洗浄ノズル３を収容する収容部１，２０と、収容部２０に形成され、洗浄ノズル３が進退する開口部２１ｈと、開口部２１ｈを開閉するシャッタ５と、洗浄ノズル３の外周面にノズル洗浄液を供給するノズル洗浄液供給部４と、を備え、シャッタ５における収容部１，２０側を向く面５０ｂには、洗浄ノズル３を清掃する清掃部材７０が設けられ、シャッタ５が開いた状態で、清掃部材７０は洗浄ノズル３の外周面３ｕに当接可能であることを特徴とする。【選択図】図３
2020122285.tif 000002
【特許請求の範囲】
【請求項１】
進退可能に構成され、進出した状態で人体の局部の洗浄を行う洗浄ノズルと、
該洗浄ノズルを収容する収容部と、
該収容部に形成され、前記洗浄ノズルが進退する開口部と、
該開口部を開閉するシャッタと、
前記洗浄ノズルの外周面にノズル洗浄液を供給するノズル洗浄液供給部と、を備え、
該シャッタにおける前記収容部側を向く面には、前記洗浄ノズルを清掃する清掃部材が設けられ、
前記シャッタが開いた状態で、前記清掃部材は前記洗浄ノズルの外周面に当接可能であることを特徴とする局部洗浄装置。
【請求項２】
前記清掃部材は、前記シャッタに着脱自在に設けられている請求項１に記載の局部洗浄装置。
【請求項３】
前記シャッタが閉じた状態で、前記清掃部材は、前記洗浄ノズルの先端部に当接可能に構成されている請求項１または２に記載の局部洗浄装置。
【請求項４】
前記シャッタが開いた状態で、前記ノズル洗浄液供給部が前記ノズル洗浄液を供給するとともに、前記洗浄ノズルが進退することで前記清掃部材が前記洗浄ノズルを清掃するように構成されている請求項１から３のいずれか一項に記載の局部洗浄装置。
【請求項５】
前記シャッタは、下端部側を前記洗浄ノズルの進退方向に揺動可能とされている請求項１から４のいずれか一項に記載の局部洗浄装置。
【請求項６】
洗浄ノズルが収容される収容部の開口部に設けられるシャッタであって、
前記収容部側を向く面には、係止部が設けられ、
該係止部には、前記洗浄ノズルを清掃可能な清掃部材が係止されていることを特徴とするシャッタ。
【発明の詳細な説明】
【技術分野】
【０００１】
本発明は、局部洗浄装置及びシャッタに関するものである。
【背景技術】
【０００２】
従来から、便座に着座した利用者の局部洗浄を行う局部洗浄装置が知られている。局部洗浄装置の洗浄ノズルは、局部洗浄を行う際に前方に向かうにしたがって次第に下方に向かう方向に進出し、局部洗浄が終わると後退して元の位置に戻るように構成されている。
【０００３】
局部洗浄をすると、跳ね返った水や汚物等が洗浄ノズルに付着してしまうことがある。そこで、下記の特許文献１では、上ケース部内に洗浄ノズル及び洗浄ノズルを清掃するブラシが配置されたものが提案されている。ブラシに向けて洗浄液が供給され、洗浄ノズルが進退してブラシにより清掃されるように構成されている。
【先行技術文献】
【特許文献】
【０００４】
【特許文献１】特開２０１６−１５６１８５号公報
【発明の概要】
【発明が解決しようとする課題】
【０００５】
しかしながら、上記の特許文献１の局部洗浄装置では、ブラシが上ケース部内に配置されていて、上ケース部内で洗浄ノズルの清掃を行う。このため、洗浄ノズルから取り除かれた汚物が上ケース部内に溜まってしまい、上ケース部を清潔に保つことができないという問題点がある。さらに、上ケース部内からこれらの汚物を取り除く必要があり、清掃面で手間がかかってしまうという問題点もある。
【０００６】
そこで、本発明は、上記事情に鑑みてなされたものであり、メンテナンス性が良い局部洗浄装置及びシャッタを提供する。
【課題を解決するための手段】
【０００７】
上記目的を達成するために、本発明は以下の手段を採用している。
すなわち、本発明に係る局部洗浄装置は、進退可能に構成され、進出した状態で人体の局部の洗浄を行う洗浄ノズルと、該洗浄ノズルを収容する収容部と、該収容部に形成され、前記洗浄ノズルが進退する開口部と、該開口部を開閉するシャッタと、前記洗浄ノズルの外周面にノズル洗浄液を供給するノズル洗浄液供給部と、を備え、該シャッタにおける前記収容部側を向く面には、前記洗浄ノズルを清掃する清掃部材が設けられ、前記シャッタが開いた状態で、前記清掃部材は前記洗浄ノズルの外周面に当接可能であることを特徴とする。
【０００８】
このように構成された局部洗浄装置では、洗浄ノズルを清掃する清掃部材はシャッタにおける収容部側を向く面に設けられ、シャッタは収容部の開口部を開閉する。シャッタが開いた状態で清掃部材が洗浄ノズルの外周面に当接して、ノズル洗浄液を用いながら洗浄ノズルを清掃する。よって、洗浄ノズルを清掃して汚物を含んだノズル洗浄液や、洗浄ノズルから取り除かれた汚物は、収容部の外方である便器等に落ちるため、収容部に汚物が付着することがなく、メンテナンス性が良い。
【０００９】
また、本発明に係る局部洗浄装置では、前記清掃部材は、前記シャッタに着脱自在に設けられていることが好ましい。
【００１０】
このように構成された局部洗浄装置では、清掃部材はシャッタに着脱自在に設けられているため、清掃部材のみを交換することができる。
【００１１】
また、本発明に係る局部洗浄装置では、前記シャッタが閉じた状態で、前記清掃部材は、前記洗浄ノズルの先端部に当接可能に構成されていてもよい。
【００１２】
このように構成された局部洗浄装置では、シャッタが閉じた状態で清掃部材は洗浄ノズルの先端部に当接可能に構成されているため、清掃部材は洗浄ノズルの先端部も清掃することができる。
【００１３】
また、本発明に係る局部洗浄装置は、前記シャッタが開いた状態で、前記ノズル洗浄液供給部が前記ノズル洗浄液を供給するとともに、前記洗浄ノズルが進退することで前記清掃部材が前記洗浄ノズルを清掃するように構成されていてもよい。
【００１４】
このように構成された局部洗浄装置では、シャッタが開いた状態でノズル洗浄液供給部がノズル洗浄液を供給しながら清掃部材が洗浄ノズルを清掃するため、洗浄ノズルの汚れを確実に取り除くことができる。
【００１５】
また、本発明に係る局部洗浄装置では、前記シャッタは、下端部側を前記洗浄ノズルの進退方向に揺動可能とされていてもよい。
【００１６】
このように構成された局部洗浄装置では、シャッタは下端部側を洗浄ノズルの進退方向に揺動可能とされているため、シャッタが開いて洗浄ノズルが進出すると、シャッタは洗浄ノズルの上方に配置される。よって、シャッタが開いた状態で、清掃部材はシャッタの下方に配置されているため、洗浄ノズルの上面や上面に設けられた吐水口等を清掃することができる。また、洗浄ノズルを清掃して汚物を含んだノズル洗浄液や、洗浄ノズルから取り除かれた汚物は、便器等の下方に確実に落ちる。
【００１７】
また、本発明に係るシャッタは、洗浄ノズルが収容される収容部の開口部に設けられるシャッタであって、前記収容部側を向く面には、係止部が設けられ、該係止部には、前記洗浄ノズルを清掃可能な清掃部材が係止されていることを特徴とする。
【００１８】
このように構成されたシャッタでは、収容部側を向く面に設けられた係止部に、清掃部材が係止されている。よって、従来の局部洗浄装置のシャッタを本発明のシャッタに交換して、従来の局部洗浄装置に洗浄ノズルを清掃する清掃部材を設けることができる。また、シャッタの係止部から清掃部材を取り外して、新たな清掃部材に交換することもできる。
【発明の効果】
【００１９】
本発明に係る局部洗浄装置及びシャッタによれば、メンテナンス性が良い。
【図面の簡単な説明】
【００２０】
【図１】本発明の一実施形態に係る局部洗浄装置を備えた便器装置の斜視図である。
【図２】本発明の一実施形態に係る局部洗浄装置の洗浄ノズルを通る縦断面図である。
【図３】洗浄ノズルを通る縦断面図であり、洗浄ノズルが進出した状態を示している。
【図４】洗浄ノズルを通る縦断面図であり、洗浄ノズルが図３に示す状態よりもさらに進出した状態を示している。
【図５】本発明の一実施形態に係る局部洗浄装置のシャッタを後方から見た斜視図である。
【図６】左側に図５のＡ−Ａ線断面図を示し、右側に清掃部材のみを示している。
【発明を実施するための形態】
【００２１】
本発明の一実施形態に係る局部洗浄装置を備えた便器装置について、図面を用いて説明する。
図１は、本発明の一実施形態に係る局部洗浄装置を備えた便器装置の斜視図である。図１では、便蓋及ぶ便座が開いた状態を示している。
図１に示すように、便器装置１００は、下方に凹む開口部１１ａが設けられた便器１１と、便器１１に設置された便座装置１２と、を備えている。
【００２２】
なお、下記の説明において、利用者が便座装置１２の便座１４に着座した状態で前方を向く方向を「前方」とし、反対側を「後方」とし、これらを結ぶ方向を前後方向とする。また、便座１４に着座した利用者から見て左側を「左側」とし、右側を「右側」とし、これらを結ぶ方向を左右方向とする。
【００２３】
便座装置１２は、便器１１の後部上方に設置された本体部１３と、本体部１３に開閉（回動）可能に設けられた便座１４及び便蓋１５と、を備えている。
【００２４】
本体部１３は、各種機能を有する機能部１７と、機能部１７を収容するケース（収容部）２０と、を有している。
【００２５】
機能部１７とは、局部洗浄装置１０、便座１４及び便蓋１５を回動させる回動機構、便器洗浄装置、脱臭装置等の各種機能装置並びに各種機能部品、これらの各種機能装置並びに各種機能部品を制御する制御部、及びこれらの各種機能装置並びに各種機能部品に電源を供給する電源部等を示している。
【００２６】
ケース２０は、便器１１の後部上方に設置されている。ケース２０の内部に、機能部１７が配置されている。
【００２７】
ケース２０は、機能部１７の上方に配置される上部ケース部２１と、便器１１の後部上面に沿って配置される下部ケース部２２（図２参照）と、を有している。
【００２８】
上部ケース部２１の前端部２１ｆには、前後方向に開口する開口部２１ｈが形成されている。上部ケース部２１の前端部２１ｆは、便器１１の開口部１１ａの後部上方に配置されている。
【００２９】
次に、局部洗浄装置１０について説明する。
図２は、第１洗浄ノズル３Ａを通る縦断面図である。図２において、便座１４及び便蓋１５等の図示を省略し、第１洗浄ノズル３Ａを左右方向から見た状態で示している（断面で示していない）。
図２に示すように、局部洗浄装置１０は、収容カバー（収容部）１と、第１洗浄ノズル３Ａと、第２洗浄ノズル３Ｂ（図１参照。以下同じ。）と、第１洗浄ノズル３Ａ及び第２洗浄ノズル３Ｂに局部洗浄用の温水を供給する局部洗浄用温水供給部（不図示。以下同じ。）と、ノズル洗浄液供給部４と、シャッタ５と、を備えている。
なお、以下の説明において、第１洗浄ノズル３Ａ及び第２洗浄ノズル３Ｂを総称して、単に洗浄ノズル３と称することがある。
また、図２では、第１洗浄ノズル３Ａ及び第１洗浄ノズル３Ａに設けられたノズル洗浄液供給部４を示しているが、第２洗浄ノズル３Ｂ側において同様の構成については説明を省略する。
【００３０】
収容カバー１は、ケース２０内に配置されている。収容カバー１の内部に、洗浄ノズル３の前端部３ｆよりも後方の部分が収容されている。
【００３１】
図１に示すように、第１洗浄ノズル３Ａは、肛門洗浄用である。第２洗浄ノズル３Ｂは、ビデ用である。洗浄ノズル３は、前方に向かうにしたがって次第に下方に向かう方向（長さ方向）に沿って配置されている。洗浄ノズル３は、略円筒状に形成されている。
【００３２】
第１洗浄ノズル３Ａ及び第２洗浄ノズル３Ｂは、左右方向に隣り合って配置されている。本実施形態では、第１洗浄ノズル３Ａが左側に配置され、第２洗浄ノズル３Ｂが右側に配置されている。
【００３３】
局部洗浄用温水供給部から、洗浄ノズル３の後端部３ｂ近傍の給水口（不図示。以下同じ。）に温水が供給される。温水は、洗浄ノズル３の内部を流通して、前端部３ｆ近傍に設けられた吐水口（不図示。以下同じ。）から吐出される。
【００３４】
洗浄ノズル３の下部には、洗浄ノズル３の長さ方向に延びる直線状のラック（ギア）３１が設けられている。ラック３１には、下方に突出する歯３２が洗浄ノズル３の長さ方向に複数配列されている。
【００３５】
ラック３１は、洗浄ノズル３の前端部３ｆ近傍には設けられていない。ラック３１、洗浄ノズル３における前端部３ｆよりも少し後方の中間部から後端部３ｂまでの範囲に設けられている。
【００３６】
ケース２０内には、洗浄ノズル３のラック３１と噛み合いラック３１とともにラックアンドピニオン機構を構成するピニオン２４が設けられている。ピニオン２４は、円板状に形成され、外周部全体に歯２５が形成されている。ピニオン２４には、左右方向に延びる回動軸２６が設けられている。
【００３７】
ピニオン２４は、ラック３１の下方に配置されている。ピニオン２４の外周部に形成された歯２５がラック３１の歯３２と噛み合うように構成されている。
【００３８】
図３は、第１洗浄ノズル３Ａを通る縦断面図であり、第１洗浄ノズル３Ａが進出した状態を示している。図４は、第１洗浄ノズル３Ａを通る縦断面図であり、第１洗浄ノズル３Ａが図３に示す状態よりもさらに進出した状態を示している。
ピニオン２４は、モータ（不図示。以下同じ。）の駆動により回動軸２６回りに回転して、ラック３１を前方に向かうにしたがって次第に下方に向かう斜め方向に移動させるように構成されている。これにより、図３及び図４に示すように、洗浄ノズル３は、斜め方向（進退方向Ｘ）に進退可能とされている。洗浄ノズル３は、ケース２０の開口部２１ｈから前方に突出可能とされている。
【００３９】
図２に示すように、洗浄ノズル３が最も後退した（洗浄ノズル３が収容された）状態で、洗浄ノズル３の前端部３ｆは、収容カバー１よりも前方に突出しているが、ケース２０内に配置されている。洗浄ノズル３の前端部３ｆは、シャッタ５よりも後方に、シャッタ５と離間して配置されている。
【００４０】
ノズル洗浄液供給部４は、水等のノズル洗浄液が流通するノズル洗浄液供給管４１と、ノズル洗浄液供給管４１にノズル洗浄液を供給するノズル洗浄液供給本体（不図示。以下同じ。）と、を有する。
【００４１】
ノズル洗浄液供給管４１は、ケース２０内において、収容カバー１の上方に配置されている。ノズル洗浄液供給管４１は、洗浄ノズル３の延在方向と同様に、前方に向かうにしたがって次第に下方に向かうように傾斜して配置されている。
【００４２】
ノズル洗浄液供給管４１の吐水口４１ａは、洗浄ノズル３の前端部３ｆの後方且つ上方に配置されている。詳細については後述するが、洗浄ノズル３が進出すると、ノズル洗浄液供給管４１の吐水口４１ａからノズル洗浄液ｗが吐水され、ノズル洗浄液ｗが洗浄ノズル３の上面３ｕに落ちるように構成されている。
【００４３】
シャッタ５は、ケース２０の開口部２１ｈを開閉するシャッタ本体（シャッタ）５０と、ケース２０等に支持された回動軸部６１と、シャッタ本体５０と回動軸部６１とを連結する連結アーム６３と、洗浄ノズル３を清掃するブラシ（清掃部材）７０と、を有している。
【００４４】
図５は、シャッタ本体を後方から見た斜視図である。
図５に示すように、シャッタ本体５０は、板状に形成されている。図２に示すように、シャッタ５が閉じた状態で、シャッタ本体５０の板面がケース２０の開口部２１ｈに沿うように配置されている。また、シャッタ５が閉じた状態で、シャッタ本体５０の板面が、洗浄ノズル３の延在方向と直交する方向に沿うように配置されている。
【００４５】
シャッタ本体５０の上端部５０ｆは、ケース２０の上部ケース部２１の開口部２１ｈの上端部に当接または開口部２１ｈの上端部と僅かに隙間を有して配置されている。シャッタ本体５０の下端部５０ｄは、ケース２０の下部ケース部２２の前端部２２ｆに当接または下部ケース部２２の前端部２２ｆと僅かに隙間を有して配置されている。
【００４６】
図５に示すように、シャッタ本体５０は、板面の縦方向の長さよりも、板面の横方向の長さの方が長い。
なお、以下のシャッタ５の説明では、シャッタ本体５０の縦方向を上下方向とし、シャッタ本体５０の横方向を左右方向とし、シャッタ本体５０の板厚方向を前後方向として説明する。
【００４７】
シャッタ本体５０の後面（シャッタ５が閉じた状態でケース２０側及び収容カバー１側を向く面）５０ｂには、左右方向に離間して一対のアーム係止部５１が設けられている。各アーム係止部５１は、シャッタ本体５０の後面５０ｂから後方に突出している。
【００４８】
シャッタ本体５０の後面５０ｂには、上下方向に離間して一対のブラシ係止部（係止部）５２が設けられている。
【００４９】
各ブラシ係止部５２は、シャッタ本体５０の後面５０ｂから後方に突出する突出片５２ａと、突出片５２ａの後端部から対向するブラシ係止部５２側に延びる折曲片５２ｂと、を有している。折曲片５２ｂは、前後方向に弾性変形可能とされている。なお、ブラシ係止部５２の形状は、適宜設定可能である。
【００５０】
シャッタ本体５０の後面５０ｂには、左右方向に離間して一対のブラシ規制部５３が設けられている。各ブラシ規制部５３は、シャッタ本体５０の後面５０ｂから後方に突出している。
【００５１】
図２に示すように、回動軸部６１は、ケース２０等に、左右方向を軸線方向として設けられている。シャッタ５が閉じた状態で、回動軸部６１は、シャッタ本体５０よりも後方且つ上方に配置されている。
【００５２】
連結アーム６３は、左右方向に離間して一対設けられている。各連結アーム６３は、一端部（シャッタ５が閉じた状態での上端部）が回動軸部６１に係止され、他端部（シャッタ５が閉じた状態での下端部）がシャッタ本体５０のアーム係止部５１（図５参照。以下同じ。）に係止されている。
【００５３】
図３に示すように、シャッタ本体５０は、回動軸部６１を中心に、下端部側を前方且つ上方に向けるように回動する。換言すると、シャッタ本体５０は、下端部側を洗浄ノズル３の進退方向Ｘに揺動可能とされている。
【００５４】
図６では、左側に図５のＡ−Ａ線断面図を示し、右側にブラシ７０のみを示している。
図６に示すように、ブラシ７０は、シャッタ本体５０に取り付けられるブラシ支持部７１と、洗浄ノズル３（図２参照。以下同じ。）を清掃するブラシ本体７２と、を有している。
【００５５】
ブラシ支持部７１は、板状に形成され、板面がシャッタ本体５０の板面に沿うように配置されている。ブラシ支持部７１の上下両端部７１ｕ，７１ｄは、シャッタ本体５０のブラシ係止部５２に係止されている。図５に示すように、ブラシ支持部７１の左右両端部７１ｓは、シャッタ本体５０のブラシ規制部５３に当接またはブラシ規制部５３と僅かに隙間を有して配置されている。
【００５６】
ブラシ７０をシャッタ本体５０に取り付ける際には、ブラシ支持部７１をシャッタ本体５０の上下のブラシ係止部５２の間に配置するように押し込むと、ブラシ係止部５２の折曲片５２ｂが前方（シャッタ本体５０の後面５０ｂ側）に弾性変形する。これにより、ブラシ支持部７１がシャッタ本体５０の上下のブラシ係止部５２の間に配置され、ブラシ係止部５２の折曲片５２ｂは元の位置に戻る。ブラシ係止部５２の折曲片５２ｂにより、ブラシ支持部７１が脱落することが抑制される。また、上下のブラシ係止部５２の突出片５２ａ及び左右のブラシ規制部５３により、ブラシ支持部７１の上下左右の移動が規制される。
【００５７】
なお、ブラシ７０をシャッタ本体５０から取り外す際には、ブラシ支持部７１をシャッタ本体５０の上下のブラシ係止部５２の間から引き抜くと、ブラシ係止部５２の折曲片５２ｂが後方（シャッタ本体５０の後面５０ｂ側と反対側）に弾性変形する。これにより、ブラシ支持部７１がシャッタ本体５０の上下のブラシ係止部５２の間から取り外され、ブラシ係止部５２の折曲片５２ｂは元の位置に戻る。このように、ブラシ７０はシャッタ５に着脱自在とされている。
【００５８】
図５及び図６に示すように、ブラシ本体７２は、ブラシ支持部７１の後面（シャッタ５が閉じた状態でケース２０側及び収容カバー１側を向く面）７１ｂに設けられている。ブラシ本体７２は、上下方向及び左右方向に多数の毛７２ａが配置されて構成されている。なお、ブラシ本体７２として、スポンジ等も採用可能である。
【００５９】
図２に示すように、シャッタ５が閉じた状態で、ブラシ本体７２は洗浄ノズル３の前端部（先端部）３ｆに当接可能に構成されている。本実施形態では、洗浄ノズル３の前端部３ｆの全面にブラシ本体７２が当接しているが、本発明はこれに限られず、ブラシ本体７２の少なくとも一部が洗浄ノズル３に前端部に当接している構成であってもよい。
【００６０】
図３に示すように、シャッタ５が開いた状態で、ブラシ本体７２は洗浄ノズル３の外周面のうち少なくとも上面３ｕに当接可能である。なお、ブラシ本体７２の長さを長くして、洗浄ノズル３の側面（左右方向の端部側を向く面）３ｓにまで達して、側面３ｓにも当接可能であってもよい。
【００６１】
従来の局部洗浄装置のシャッタにおいて、シャッタ本体を連結アーム６３から取り外して、本実施形態のシャッタ本体５０に交換することも可能である。または、シャッタ自体を本実施形態のシャッタ５に交換することも可能である。
【００６２】
次に、洗浄ノズル３の動作について説明する。
図２に示すシャッタ５が閉じた状態から、利用者が不図示の操作部を操作して、肛門洗浄やビデ洗浄等の局部洗浄の開始を選択指示すると、制御部が当該指示に基づく信号を受信して、局部洗浄装置１０のモータを駆動させる信号を送信する。
【００６３】
モータの駆動により、ピニオン２４は回動軸２６回りに回転して、ピニオン２４と噛み合っているラック３１が設けられた洗浄ノズル３は、進退方向Ｘに沿って前進する。洗浄ノズル３の前端部３ｆがブラシ７０を前方に押しだすことで、図３及び図４に示すように、シャッタ本体５０は回動軸部６１を中心に回動して、シャッタ５がケース２０の開口部２１ｈを開放するとともに、洗浄ノズル３がケース２０の前方に進出する。
【００６４】
洗浄ノズル３が所定の位置まで前進すると、局部洗浄用温水供給部から、洗浄ノズル３の後端部３ｂ近傍の給水口に温水が供給される。温水は、洗浄ノズル３の内部を流通して、前端部近傍に設けられた吐水口４１ａから吐出され、人体の局部を洗浄する。
【００６５】
利用者が操作部を操作して、局部洗浄の終了を選択指示すると、制御部が当該指示の基づく信号を受信して、局部洗浄装置１０のモータを停止させる信号を送信する。
【００６６】
洗浄ノズル３は、元の位置の戻るように付勢されており、進退方向Ｘに沿って後退してケース２０内に収容される。シャッタ５も、閉じた状態の位置となるように付勢されており、洗浄ノズル３の後退とともに閉じていく。
【００６７】
次に、ブラシ７０及びノズル洗浄液ｗによる洗浄ノズル３の清掃について説明する。
洗浄ノズル３の清掃は、利用者が操作部を操作することにより、局部洗浄が終了した後に自動的に行われるように制御されている。
【００６８】
図２に示すシャッタ５が閉じた状態から、洗浄ノズル３が前進してシャッタ５が開くとともに、ノズル洗浄液供給管４１の吐水口４１ａからノズル洗浄液ｗが吐水される。ノズル洗浄液ｗの吐水は、洗浄ノズル３の前進開始と同時に行われる構成であってもよいし、洗浄ノズル３の前進開始から少し遅れて行われる構成であってもよい。
【００６９】
シャッタ５が閉じた状態では、ブラシ本体７２が洗浄ノズル３の前端部３ｆに当接していて、シャッタ５が開くにともない、ブラシ本体７２は洗浄ノズル３の前端部３ｆに対して上方に移動していく。これにより、洗浄ノズル３の前端部３ｆがブラシ本体７２で擦られて、洗浄ノズル３が清掃される。
【００７０】
洗浄ノズル３は、前進した後に後退して再び前進するように、進退方向Ｘに沿って繰り返し移動する。洗浄ノズル３の繰り返し移動の間、ノズル洗浄液ｗがノズル洗浄液供給管４１の吐水口４１ａから吐水されていることが好ましい。
【００７１】
ノズル洗浄液ｗは、洗浄ノズル３の上面３ｕに落ち、洗浄ノズル３の側面（左右方向の端部側を向く面）に沿って流れ、下方に落ちる。ブラシ７０のブラシ本体７２は洗浄ノズル３の上面３ｕに当接しているため、ノズル洗浄液ｗが洗浄ノズル３の外周面に沿って流れながら、洗浄ノズル３の上面３ｕが前後方向に擦られて清掃される。下部ケース部２２の前端部２２ｆは便器１１の開口部１１ａの後部上方に配置されているため、洗浄ノズル３を清掃したノズル洗浄液ｗは便器１１の開口部１１ａの後部に落下する。なお、洗浄ノズル３の側面や下面は、ノズル洗浄液ｗにより清掃される。
【００７２】
洗浄ノズル３が進退方向Ｘに大きく移動するように制御することが好ましい。これにより、洗浄ノズル３の長さ方向の全体的にブラシ７０で擦られて汚物が取り除かれる。
【００７３】
図３に示すような洗浄ノズル３が少し前進した位置では、洗浄ノズル３の前部がブラシ７０で擦られるように、進退方向Ｘに細かく移動するように制御することが好ましい。これにより、汚物が付着しやすい洗浄ノズル３の前部の汚れを、確実に取り除くことができる。
【００７４】
このように構成された便器装置１００では、洗浄ノズル３を清掃するブラシ７０はシャッタ５の後面５０ｂに設けられ、シャッタ５はケース２０の開口部２１ｈを開閉する。シャッタ５が開いた状態でブラシ７０が洗浄ノズル３の上面３ｕ等に当接して、ノズル洗浄液ｗを用いながら洗浄ノズル３を清掃する。よって、洗浄ノズル３を清掃して汚物を含んだノズル洗浄液ｗや、洗浄ノズル３から取り除かれた汚物は、便器１１の開口部１１ａの後部に落ちるため、ケース２０内及び収容カバー１内に汚物が付着することがなく、メンテナンス性が良い。
局部洗浄をすると、洗浄ノズル３の上面３ｕに汚物が飛び散り付着しやすい。よって、ブラシ７０で洗浄ノズル３の上面３ｕを清掃できることは、特に有益である。
【００７５】
また、シャッタ５が閉じた状態で、ブラシ７０は洗浄ノズル３の前端部３ｆに当接可能に構成されている。よって、シャッタ５が開いた状態で、ブラシ７０はシャッタ５の下方に配置されているため、洗浄ノズル３の上面３ｕや上面３ｕに設けられた吐水口等を清掃することができる。また、洗浄ノズル３が前進し始めた際に、ブラシ７０が洗浄ノズル３の前端部３ｆを下方から上方に擦るため、洗浄ノズル３の前端部３ｆを清掃することができる。
【００７６】
また、シャッタ５が開いた状態で、ノズル洗浄液供給部４がノズル洗浄液ｗを供給しながらブラシ７０が洗浄ノズル３を清掃する。よって、洗浄ノズル３の汚れを確実に取り除くことができる。
【００７７】
また、シャッタ５は下端部側を洗浄ノズル３の進退方向Ｘに揺動可能とされているため、シャッタ５が開いて洗浄ノズル３が進出すると、シャッタ５は洗浄ノズル３の上方に配置される。よって、洗浄ノズル３を清掃して汚物を含んだノズル洗浄液ｗや、洗浄ノズル３から取り除かれた汚物は、便器１１の開口部１１ａに確実に落ちる。
【００７８】
また、従来の局部洗浄装置のシャッタ本体またはシャッタを、本実施形態のブラシ７０が設けられたシャッタ本体５０またはシャッタ５に交換して、従来の局部洗浄装置１０に洗浄ノズル３を清掃するブラシ７０を設けることができる。
【００７９】
また、ブラシ７０はシャッタ５に着脱自在に設けられているため、ブラシ７０が汚れたり劣化したりした際には、ブラシ７０のみを交換することができる。
【００８０】
なお、本発明に係る便器装置１００は、上述した実施形態に限定されるものではなく、本発明の要旨を逸脱しない範囲で適宜の変更や置換等が可能である。
【００８１】
例えば、上記に示す実施形態では、シャッタ本体５０の上下に係止部が設けられているが、本発明はこれに限られず、シャッタ本体５０の左右に係止部が設けられていてもよく、また、シャッタ本体５０に上下左右の４箇所に係止部が設けられていてもよく、係止部の箇所は適宜設定可能である。
【００８２】
また、上記に示す実施形態では、ブラシ７０がシャッタ本体５０に着脱自在に設けられている構成として、シャッタ５に設けられたブラシ係止部５２がブラシ７０を係止するものを示したが、本発明はこれに限られない。ブラシ７０がシャッタ５に螺子で固定され、螺子を外すことで取り外し可能であってもよい。あるいは、ブラシ７０がシャッタ５に取外不能に設けられていてもよい。
【００８３】
また、上記に示す実施形態では、シャッタ５が閉じた状態でブラシ７０は洗浄ノズル３の前端部３ｆに当接されているが、本発明はこれに限られない。シャッタ５が閉じた状態でブラシ７０が洗浄ノズル３の前端部３ｆと離間して配置されていてもよい。
【００８４】
また、シャッタ５は、上部に設けられた回動軸部６１を中心に、下端部側を前方且つ上方に向けるように回動するが、本発明はこれに限られない。シャッタ５が下部に設けられた左右方向を向く回動軸部６１を中心に、上端部側を前方且つ下方に向けるように回動してもよい。
【００８５】
また、シャッタ５が透明に構成されていれば、利用者は洗浄ノズル３が清掃中であることが目視できて好ましい。
【００８６】
また、上記に示す実施形態では、清掃部材としてブラシ７０を例に挙げて説明したが、本発明はこれに限られず、スポンジ等であってもよい。
【符号の説明】
【００８７】
１…収容カバー（収容部）
３…洗浄ノズル
３Ａ…第１洗浄ノズル
３Ｂ…第２洗浄ノズル
４…ノズル洗浄液供給部
５…シャッタ
１０…局部洗浄装置
１１…便器
１２…便座装置
１４…便座
１５…便蓋
２０…ケース（収容部）
２１ｈ…開口部
４１…ノズル洗浄液供給管
５０…シャッタ本体（シャッタ）
５２…ブラシ係止部（係止部）
５３…ブラシ規制部
６１…回動軸部
６３…連結アーム
７０…ブラシ（清掃部材）
７１…ブラシ支持部
７２…ブラシ本体
７２ａ…毛
１００…便器装置
ｗ…ノズル洗浄液
Ｘ…進退方向
【図１】
2020122285.tif 000003
【図２】
2020122285.tif 000004
【図３】
2020122285.tif 000005
【図４】
2020122285.tif 000006
【図５】
2020122285.tif 000007
【図６】
2020122285.tif 000008